(57)【要約】【課題】従来、携帯電話において予約視聴をする際に、音声や振動で予約時刻を通知するなどの手段がとられていた。しかしながら、どのような番組を予約しているのかを忘れていたりして、予約情報を参照したいという課題が生じる。また、視聴予約をしていても状況によって、録画に切り替える必要が生じるなどの課題が生じる。【解決手段】以上の課題を解決するために、第一に、放送の予約時刻が近づくまたは到来すると、クラムシェルを閉じた状態のまま、副画面に予約情報を表示する処理を行う携帯電話を提供する。また第二に、前記副画面に表示された通知に対して、視聴開始や、予約キャンセルや、録画などの操作をクラムシェルを閉じた状態のままで行うことができる携帯電話を提供する。【選択図】図２
2008278118.tif 000002
【特許請求の範囲】
【請求項１】
予約可能なテレビ機能を備えたクラムシェルタイプの携帯電話であって、
主画面表示部と、クラムシェルを閉じた状態で表側に配置可能な副画面表示部と、
予約時刻が近づいた又は到来した状態である告知タイミングであるか判断する判断部と、
判断結果が告知タイミングであるとの判断結果である場合に予約情報を副画面表示部に出力する出力部と、
を有する携帯電話。
【請求項２】
出力部が予約情報を副画面表示部に出力した場合に、予約情報に基づいてテレビを視聴するか、予約情報に基づいてテレビを録画するか、予約情報をキャンセルするか、のいずれか一以上の利用者からの指示をクラムシェルを閉じた状態で受付けるための入力操作手段を備えた指示入力部をさらに有する請求項１に記載の携帯電話。
【請求項３】
指示入力部の入力操作手段は、副画面に設けられたタッチパネルである請求項１又は２に記載の携帯電話。
【請求項４】
予約可能なテレビ機能を備えたクラムシェルタイプの携帯電話における放送視聴予約時間の通知方法であって、
主画面表示ステップと、クラムシェルを閉じた状態で表側に配置可能な副画面に表示を行う副画面表示ステップと、
予約時刻が近づいた又は到来した状態である告知タイミングであるか判断する判断ステップと、
判断結果が告知タイミングであるとの判断結果である場合に予約情報を副画面に出力する出力ステップと、
を有する通知方法。
【請求項５】
出力ステップにおいて予約情報を副画面に出力した場合に、予約情報に基づいてテレビを視聴する、予約情報に基づいてテレビを録画するか、予約情報をキャンセルするか、のいずれか一以上の利用者からの指示をクラムシェルを閉じた状態で受付けるための入力操作サブステップを備えた指示入力ステップをさらに有する請求項４に記載の通知方法。
【発明の詳細な説明】
【技術分野】
【０００１】
本発明は、クラムシェル型の携帯電話による放送の予約視聴録画等におけるヒューマンインターフェース技術に関する。
【背景技術】
【０００２】
昨今、携帯電話に、地上ディジタル放送などの視聴を行う機能が搭載されている。また、そのような携帯電話には、予約視聴および予約録画機能が備えられている。当該機能は予約時刻が到来すると自動的に受信が開始され、録画や視聴を開始することが可能である。しかし、携帯電話は鞄や、衣類のポケットの中などに格納されている。またクラムシェルタイプ（折り畳み型）の携帯電話にあっては放送映像が表示されるメインの液晶ディスプレイが外部から見えない状態で収納されている。このため視聴予約をしていても、利用者がその事実を忘れている場合には、予約された番組が開始されていても、予約時間が到来した事実を認識することができないため、利用者は気づかずに視聴したい番組を見逃してしまう可能性がある。
【０００３】
そこで特許文献１には、以下のような技術が開示されている。該技術では、視聴開始予約時刻になると、放送の受信状態を取得し、受信状態が受信可能であると判断した場合には、ユーザインタフェース部により、利用者に対し視聴開始予約時刻となった旨と、映像が表示可能な旨とを通知する。ここで、ユーザインタフェース部とは、表示部への表示や、スピーカからの音声や、バイブレーターによる振動などが含まれる。上記のような機能を用いて通知が行われることで、利用者は視聴開始予約時刻と、放送電波の受信状態を把握することが可能であり、所望の番組を見逃すことを防ぐことが出来る。
【特許文献１】特開２００５−１９１９１７号公報
【発明の開示】
【発明が解決しようとする課題】
【０００４】
しかし、上記従来の技術には以下のような課題がある。特許文献１で開示されている技術では、ユーザインタフェース部による通知により、利用者は視聴開始予約時刻になった事実と、放送電波の状態が受信の可否とを知ることができるが、上記技術では、利用者がどのような番組を予約したかどうかを通知する手段は有さない。このため利用者は、上記通知があった場合には、携帯端末に保持される予約情報を呼び出したり、実際に視聴を開始したりして、どのような番組に対して予約を行っているか端末を操作することにより確認する必要がある場合が生じた。その上、クラムシェルタイプの携帯電話などでは、折り畳まれた筐体を一度開いて上記確認を行う必要が生じ、利便性に欠けるものとなる。
【０００５】
したがって第一に、視聴開始予約時刻の到来を通知する際に、時刻到来の通知と共に、予約した番組やその内容などを簡便に知る手段の実現という課題が生じる。同時に、クラムシェルタイプの携帯電話のような、筐体を開く動作をすることにより使用状態にする必要がある端末装置において、前記動作の必要がなく簡便に視聴開始予約時刻の到来および予約情報を参照することの可能な端末の提供という課題も生じる。
【０００６】
また、視聴開始予約時刻の開始の通知を、予約情報と共に通知を受けたとしても、視聴が不可能な場合が生じる可能性がある。例えば、携帯電話においてテレビを視聴等する場合には、端末を自由に持ち運ぶことが可能であるので、利用者の居る場所（混雑した電車内等）や置かれた状況（通話中等）等により、視聴をあきらめたりせざるを得ない場合がある。
【０００７】
したがって第二に、クラムシェルタイプの携帯電話において、視聴開始予約時刻の到来により予約情報の通知を受けた利用者が、状況等により予約した番組の視聴などをキャンセルしたり、あるいは視聴から録画へ切り替えたりする簡便な選択手段の提供という課題が生じる。
【課題を解決するための手段】
【０００８】
以上の課題を解決するために、本発明は以下のような携帯電話を提供する。第一に、放送の予約時刻が近づく、または到来すると、クラムシェルを閉じた状態で、副画面に予約にかかる番組や、その内容などの、予約情報を表示する処理を行う携帯電話を提供する。
【０００９】
具体的には、予約可能なテレビ機能を備えたクラムシェルタイプの携帯電話であって、主画面表示部と、クラムシェルを閉じた状態で表側に配置可能な副画面表示部と、予約時刻が近づいた又は到来した状態である告知タイミングであるか判断する判断部と、判断結果が告知タイミングであるとの判断結果である場合に予約情報を副画面表示部に出力する出力部と、を有する携帯電話である。
【００１０】
ここで、「予約可能なテレビ機能」とは、予約録画や、予約視聴のように、時計と連動し、一定時刻に所定の番組を視聴等することを可能とする機能のことを指す。
【００１１】
第二は、上記第一の携帯電話を基本として、さらに前記副画面に表示された通知に対して、視聴開始や、予約キャンセルや、録画などの操作をクラムシェルを閉じた状態のままで行うことができる携帯電話を提供する。
【００１２】
具体的には、出力部が予約情報を副画面表示部に出力した場合に、予約情報に基づいてテレビを視聴する、予約情報に基づいてテレビを録画するか、予約情報をキャンセルするか、のいずれか一以上の利用者からの指示をクラムシェルを閉じた状態で受付けるための入力操作手段を備えた指示入力部をさらに有する携帯電話である。
【発明の効果】
【００１３】
以上のような構成をとる第一の本発明によって、予約時刻が到来した場合に、音声や、振動によって予約時刻であることを通知するのと同時に、クラムシェル型の携帯電話の副画面に予約情報を表示し、利用者に予約された番組名や、内容などについて通知することが出来る。これにより、利用者はクラムシェルを開く動作をすることなく、予約情報を知ることができる。
【００１４】
また、第二の本発明によって、クラムシェルを閉じた状態で、予約情報に基づいて番組を視聴するか、予約情報に基づいて番組を録画するか、または、予約のキャンセルなどについて選択操作が可能である。このため、利用者はクラムシェルを開く動作をすることなく、利用者の置かれた状況に応じて、視聴開始、録画開始、キャンセルの操作を行うことが可能である。
【発明を実施するための最良の形態】
【００１５】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１及び請求項４について説明する。また、実施例２は、主に請求項２、３及び請求項５について説明する。
【００１６】
≪実施例１≫
<概要>
図１は、クラムシェル型の携帯電話を開いた状態（０１０１）と畳んだ状態（０１０２）を表した概念図であり、本実施例携帯電話による放送視聴予約時間の通知方法の一例を説明するための図である。この図にあるように、クラムシェル型の携帯電話を畳んだ状態（０１０２）において、副画面（０１０３）に予約情報が表示されている。予約情報の内容としては、予約開始時刻と予約終了時刻と、予約番組名、予約にかかる番組の内容などが表示される。本例では、２３:００から２３：３０まで「世界遺産」という番組の視聴予約が設定されている。このため視聴開始時刻の１０分前の２２：５０に予約時刻が近づいてきた旨を通知しているところである。
【００１７】
このように、携帯電話の副画面において予約情報を表示することで、視聴開始時刻などが近づいてきた際などに、予約時刻の到来と共に、利用者は携帯電話を畳んだまま、予約内容を知ることができる。
【００１８】
<機能的構成>
図２は、本実施例の携帯電話における機能ブロックの一例を表す図である。この図にあるように、本実施例の「携帯電話」（０２００）は、「判断部」（０２０１）と、「出力部」（０２０２）と、「主画面表示部」（０２０３）と、副画面表示部（０２０４）とを有する。
【００１９】
なお、以下に記載する映像処理装置の機能ブロックは、ハードウェア、ソフトウェア、又はハードウェア及びソフトウェアの両方として実現され得る。具体的には、コンピュータを利用するものであれば、CPUや主メモリ、バス、あるいは二次記録媒体（ハードディスクや不揮発性メモリ、CD−ROMやDVD−ROMなどの記憶メディアとそれらメディアの読取ドライブなど）、印刷機器や表示装置、その他の外部周辺装置などのハードウェア構成部やその外部周辺機器用のI/Oポート、それらハードウェアを制御するためのドライバプログラムやその他アプリケーションプログラム、情報入力に利用されるユーザインタフェースなどが挙げられる。
【００２０】
またこれらハードウェアやソフトウェアは、主メモリ上に展開したプログラムをCPUで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００２１】
「判断部」（０２０１）は、予約時刻が近づいた又は到来した状態である告知タイミングであるか判断する機能を有する。ここで、「告知タイミング」とは、携帯電話が利用者に対し予約情報を通知するタイミングのことである。告知タイミングは、判断部（０２０１）に対して行われる設定によって与えられる。例えば「予約時刻の5分前に通知」というような告知タイミングの設定がされていた場合には、１９時から予約録画設定を行っていた場合には、告知タイミングは5分前の１８時５５分となる。判断部は内部に計時機能を有する。出力部より予約時刻を取得し、計時機能により取得した現在の時刻と、取得された予約時刻について比較を行う。比較の結果、現在時刻と予約時刻が一致する、あるいは現在時刻が予約時刻に所定時間だけ近づいた場合には、告知タイミングである旨の判断結果を出力部に対して出力する。判断結果を出力するタイミングであるが、前記のような所定の条件に達した場合のみ出力してもよいし、告知タイミングであるか否かにかかわらず、一定時間間隔に判断結果を出力してもよい。
【００２２】
「主画面表示部」（０２０３）は、予約情報に基づいて放送を受信し、表示装置に受信された映像を表示する機能を有する。具体的には、予約時刻が到来すると出力部より予約情報を取得し、予約情報に含まれる所定のチャンネルに対応する周波数の放送の受信を開始する。受信された放送データは、映像データに変換され、内蔵の液晶ディスプレイなどにより、表示される。映像データの表示は受信時において常に行っていてもよいし、携帯のクラムシェルを開いた時に表示が開始されてもよい。なお、予約録画の場合などにおいては、映像データをエンコードなどにより格納に適したデータへ変換を施し、フラッシュメモリーや、ハードディスクや、記録型光ディスク装置などの記憶装置に格納するという機能を有していてもよい。
【００２３】
「副画面表示部」（０２０４）は、予約情報を、クラムシェルを閉じた状態で表側に配置可能な表示画面において出力する機能を有する。具体的には、予約情報を利用者に対し告知すべきタイミングとなった場合に、出力部より出力された予約情報を取得し、当該情報を、現在時刻などの情報と共に表示する。
【００２４】
ここで「表側に配置可能」の「表側」とは、図１における０１０２のように、クラムシェル型携帯電話の主画面の裏側のみならず、ダイヤル操作などを行う操作キーボタンなどを配している操作部の裏側や、側面や、端面などをも含む。
【００２５】
「出力部」（０２０２）は、判断部における判断結果が告知タイミングであるとの判断結果である場合に予約情報を副画面表示部に出力する機能を有する。具体的には、判断部より予約時刻に関する判断結果を取得し、当該判断結果が、告知タイミングであるとの結果である場合に、あらかじめ保持されている予約情報を、副画面表示部に対して出力する。
【００２６】
<処理の流れ>
図３は、本実施例の携帯電話における処理の流れの一例を表すフローチャートである。なお、以下に示すステップは、媒体に記録され計算機を制御するためのプログラムを構成する処理ステップであっても構わない。この図にあるように、まず、予約情報の取得を行う（ステップＳ０３０１）。次に現在時刻の取得を行い（ステップＳ０３０２）、その後、予約時刻が近づいたまたは到来した状態である告知タイミングであるか否かの判断を行う（ステップＳ０３０３）。告知タイミングであるとの判断であった場合には、予約情報を副画面に対して出力する（ステップＳ０３０４）。一方、告知タイミングでないとの判断であった場合には再び現在時刻の取得を行う処理に戻る（ステップＳ０３０３）。
【００２７】
なお告知タイミングが到来した際の通知方法は、予約情報を副画面に表示すると共に、音声や、副画面又は他の表示部などによる発光や色彩による通知、さらには、バイブレーターによる振動による通知を伴ってもよい。
【００２８】
そして、上記本実施例の携帯電話は、予約情報を所定の告知タイミングで副画面に対して出力することを特徴とする。これにより、携帯電話のクラムシェルを開閉することなく、予約状況の確認が可能となる。
【００２９】
<ハードウェア的構成>
図４は、上記機能的な各構成要件をハードウェアとして実現した際の、携帯電話における構成の一例を表す概略図である。この図を利用して本実施例における放送視聴予約時間の通知処理におけるそれぞれのハードウェア構成部の働きについて説明する。この図にあるように、本実施例の携帯電話は、各種演算処理を行う「ＣＰＵ（中央演算装置）」（０４０１）と、「ＲＯＭ」（０４０２）と、「ＲＡＭ」（０４０３）と、各種放送の受信を行うチューナ部（０４０４）と、携帯電話回線の通信処理を行う携帯電話回線通信部（０４０５）と、マイク（０４０６）およびスピーカ（０４０７）などが接続されている音声処理部（０４０８）と、現在時刻を取得する計時部（０４０９）を有する。また、キーボタンなどの操作入力Ｉ／Ｆ（０４１０）などを有する。そしてそれらが「システムバス」（０４００）などのデータ通信経路によって相互に接続され、情報の送受信や処理を行う。さらに、表示装置として、主画面ＬＣＤ（Liquid Crystal Display）（０４１１）と、副画面ＬＣＤ（０４１２）がそれぞれ主画面制御部（０４１３）および、副画面制御部（０４１４）を介してシステムバス（０４００）に接続されている。
【００３０】
「ＲＯＭ」（０４０２）においては、チューナ部や、主画面制御部や、音声処理部などで使用されるプログラムデータや、アプリケーションプログラムデータなどが格納されており、必要に応じ、ＣＰＵに呼び出され、実行される。「ＲＡＭ」（０４０３）は、各種処理を行うプログラムをＣＰＵに実行させるために読み出すと同時にそのプログラムの作業領域でもあるワーク領域を提供する。また、「ＲＡＭ」には、予約情報データとして、予約時刻、予約チャンネルＩＤ、予約番組情報などが保持されている。また、予約情報の告知を行うタイミングに関する告知タイミング設定が保持されている。告知タイミング設定とは、予約時刻に対して５分前に告知するという設定や、予約時刻が到来したら告知を行うという、予約時刻に依存する告知タイミングの設定を指す。
【００３１】
ここで、計時部（０４０９）において現在時刻が取得されると、ＲＡＭ（０４０３）に保持されている告知タイミング設定と、予約情報データとして保持されている予約時刻を共にＣＰＵ（０４０１）に呼び出す。そして、告知タイミング設定と予約時刻とによって、告知時刻を決定する。決定された告知時刻と現在時刻を比較し、両者の時刻が同じであれば、告知を行う。ＣＰＵ（０４０１）は、ＲＡＭ（０４０３）上に保持されている予約情報データを読み出し、副画面制御部（０４１４）に対して当該情報の出力を行い、副画面ＬＣＤ（０４１２）により予約情報データが表示される。
【００３２】
<効果の簡単な説明>
以上のように本実施例の携帯電話によって、予約情報を筐体表面の副画面上に表示することで、クラムシェル型の携帯電話の筐体を開閉することなく、予約情報を簡便に確認することができる。
【００３３】
≪実施例２≫
<概要>
図５は、本実施例の携帯電話における放送視聴予約時間の通知処理について説明するための概念図である。この図にあるように、本実施例の携帯電話では、実施例１で説明した処理に加えて、利用者が、予約情報を受け取った後に、視聴、録画、キャンセルのいずれかの選択入力を、携帯電話を閉じたままで、実行することが可能である。
【００３４】
利用者が予約にかかる番組を視聴することを選択した場合には、告知が行われた際に、例えば、クラムシェルを開くことで、（A）のように放送を受信するチューナが起動し、映像表示状態に切り替わる。また、携帯電話の背面に設置された、録画ボタン「●」（０５０１）を押下することにより録画を選択すると、（B）のように、携帯電話は閉じられたままチューナが起動し、録画が開始される。さらに、（C）のように、キャンセルボタン「×」（０５０２）を押下すると、予約はキャンセルされ、その旨が副画面に表示される（０５０３）。
【００３５】
<機能的構成>
図６は、本実施例の携帯電話における機能ブロックの一例を表す図である。この図にあるように、本実施例の「携帯電話」（０６００）は、実施例１を基本として「判断部」（０６０１）と、「出力部」（０６０２）と、「主画面表示部」（０６０３）と、副画面表示部（０６０４）とを有する。なお、これら構成要件については上記実施例にて既に記載済みであるのでその説明は省略する。そして、本実施例の携帯電話の特徴点は、新たに「指示入力部」（０６０５）を有し、その支持入力部が「入力操作手段」（０６０６）を有する点である。
【００３６】
「指示入力部」（０６０５）は、出力部が予約情報を副画面表示部に出力した場合に、予約情報に基づいてテレビを視聴するか、予約情報に基づいてテレビを録画するか、予約情報をキャンセルするか、のいずれか一以上の利用者からの指示をクラムシェルを閉じた状態で受付けるための入力操作手段を備える。入力操作手段において選択操作がされると、視聴、録画、予約キャンセルなどの信号を主画面表示部（０６０３）に対して出力する。
【００３７】
「入力操作手段」（０６０６）とは、利用者からの入力を受付ける。例えば、図５に示すような、携帯電話筐体表面に設けられたボタンや、これに類する操作装置を指す。例えば図７のような携帯電話筐体表面に設けられた副画面がタッチパネル（０７０１）となっており、当該タッチパネルに操作ボタン（０７０２）が表示され、利用者はこれに対して操作を行うという形態となっていてもよい。
【００３８】
<処理の流れ>
図８は、本実施例の携帯電話における処理の流れの一例を表すフローチャートである。本例は、録画予約を本実施例の携帯電話において行っている場合の処理の一例である。なお、以下に示すステップは、媒体に記録され計算機を制御するためのプログラムを構成する処理ステップであっても構わない。この図にあるように、まず、予約情報の取得を行う（ステップＳ０８０１）。次に現在時刻の取得を行い（ステップＳ０８０２）、その後、予約時刻が近づいたまたは到来した状態である告知タイミングであるか否かの判断を行う（ステップＳ０８０３）。告知タイミングであるとの判断であった場合には、予約情報を副画面に対して出力する（ステップＳ０８０４）。一方、告知タイミングでないとの判断であった場合には再び現在時刻の取得を行う処理に戻る（ステップＳ０８０３）。
【００３９】
予約情報を出力した後、各選択操作の入力を受付ける。受付けた選択操作により、所定の処理を行う。第一に、端末のクラムシェルが開かれたか否かが判断され（ステップＳ０８０５）、開かれたと判断された場合にはそのまま予約時刻が到来するまで待ちの処理（ステップＳ０８０６）に入り、予約時刻が到来すると、チューナにより放送映像の受信が開始され、映像表示を開始する（ステップＳ０８０７）。このとき同時に録画が開始されてもかまわない。第二に、キャンセルボタンが押されたか否かが判断される（ステップＳ０８０８）。キャンセルボタンが押下されると、予約情報は消去される（Ｓ０８０９）。上記二の判断処理を予約時刻の到来まで繰り返し、予約時刻が到来したと判断されると（ステップＳ０８１０）、映像の録画が開始される（ステップＳ０８１１）。
【００４０】
上記のように、本実施例の携帯電話は、予約情報を告知した際に、映像の視聴や、あるいは予約のキャンセルなどを、選択入力可能とすることにより予約情報の確認だけでなく、状況に応じて現在の予約情報に対して変更を加えることが可能となる。
【００４１】
<ハードウェア的構成>
図９は、上記機能的な各構成要件をハードウェアとして実現した際の、携帯電話における構成の一例を表す概略図である。この図を利用して本実施例における放送視聴予約時間の通知処理におけるそれぞれのハードウェア構成部の働きについて説明する。この図にあるように、本実施例の携帯電話は、実施例１を基本として、各種演算処理を行う「ＣＰＵ（中央演算装置）」（０９０１）と、「ＲＯＭ」（０９０２）と、「ＲＡＭ」（０９０３）と、各種放送の受信を行うチューナ部（０９０４）と、携帯電話回線の通信処理を行う携帯電話回線通信部（０９０５）と、現在時刻を取得する計時部（０９０９）と、マイク（０９０６）、スピーカ（０９０７）などが接続されている音声処理部（０９０８）と、操作入力Ｉ／Ｆ（０９１０）とを有する。そしてそれらが「システムバス」（０９００）などのデータ通信経路によって相互に接続され、情報の送受信や処理を行う。さらに、表示装置として、主画面ＬＣＤ（Liquid Crystal Display）（０９１１）と、副画面ＬＣＤ（０９１２）がそれぞれ主画面制御部（０９１３）および、副画面制御部（０９１４）を介してシステムバス（０９００）に接続されている。
【００４２】
そして、本実施例の特徴は、操作Ｉ/Ｆが、表面操作部キーボタン（０９１５）と、ヒンジ部スイッチ（０９１６）を有する点である。
【００４３】
表面操作部キーボタン（０９１５）は、携帯電話の筐体表面に設置されたボタンであり、クラムシェルを開閉することなく、１以上の操作を行うことができる。ボタンは、図５で示したような、携帯電話の筐体表面に設けられたボタンでもよいし、前述したように、副画面ＬＣＤ（０９１２）がタッチパネルとなっていて、表面操作部キーボタンの機能を兼ねていてもよい。
【００４４】
ここで、計時部（０９０９）において現在時刻が取得されると、ＲＡＭ（０９０３）に保持されている告知タイミング設定と、予約情報データとして保持されている予約時刻を共にＣＰＵ（０９０１）に呼び出す。そして、告知タイミング設定と予約時刻とによって、告知時刻を決定する。決定された告知時刻と現在時刻を比較し、両者の時刻が同じであれば、告知を行う。ＣＰＵ（０９０１）は、ＲＡＭ（０９０３）上に保持されている予約情報データを読み出し、副画面制御部（０９１４）に対して当該情報の出力を行い、副画面ＬＣＤ（０９１２）により予約情報データが表示される。
【００４５】
情報の出力がされると、表面操作部キーボタンによって、視聴の実行、録画の実行、あるいは予約のキャンセルと言った選択操作の受付が行われる。視聴の実行の場合には、折り畳まれたクラムシェルを開くと視聴が開始されるという機能を有していてもよい。すなわち、携帯電話筐体のヒンジ部スイッチ（０９１６）により、クラムシェルが開かれたのを検知してチューナを起動し、受信映像の表示を開始してもよい。
【００４６】
視聴の実行あるいは、予約時刻が到来すると、チューナ部（０９０４）によって放送が受信され、映像データが主画面制御部に対して送られ映像の表示が実行される。また、音声は、音声処理部（０９０８）へ送られ、スピーカなどから音声が出力される。録画の実行が選択された場合には、映像データはＣＰＵ上のロードされたアプリケーションプログラム等により、エンコード等され、ＲＡＭに蓄積される。このとき図示していないが、フラッシュメモリーカードやハードディスクなどの二次記憶装置にデータを蓄積してもかまわない。
<効果の簡単な説明>
このようにして、携帯電話筐体表面にキーボタンや、タッチパネル等の入力操作手段を設けることで、録画の開始、視聴の開始、予約のキャンセル処理を行うことができる。したがって、利用者は、クラムシェルを閉じたままの状態で、予約情報を確認し、上記各操作を実行することができる。このため、視聴予約時刻が到来した際に、急な予定変更などで視聴が出来なくなった場合において、告知がされた際に予約情報を確認し、必要に応じて録画への切り替えや、視聴予約のキャンセルなどの操作を行うことが可能となる。
【図面の簡単な説明】
【００４７】
【図１】実施例１の携帯電話装置における概要の一例を示す図
【図２】実施例１の携帯電話装置における機能ブロックの一例を表す図
【図３】実施例１の携帯電話装置における処理の流れの一例を表すフローチャート
【図４】実施例１の映像処理装置におけるハードウェア構成の一例を表す概略図
【図５】実施例２の携帯電話装置における概要の一例を示す図
【図６】実施例２の携帯電話装置における機能ブロックの一例を表す図
【図７】実施例２の携帯電話装置における概要の別の一例を示す図
【図８】実施例２の携帯電話装置における処理の流れの一例を表すフローチャート
【図９】実施例２の携帯電話装置におけるハードウェア構成の一例を表す概略図
【符号の説明】
【００４８】
０２００  携帯電話
０２０１  判断部
０２０２  出力部
０２０３  主画面表示部
０２０４  副画面表示部
【図１】
2008278118.tif 000003
【図２】
2008278118.tif 000004
【図３】
2008278118.tif 000005
【図４】
2008278118.tif 000006
【図５】
2008278118.tif 000007
【図６】
2008278118.tif 000008
【図７】
2008278118.tif 000009
【図８】
2008278118.tif 000010
【図９】
2008278118.tif 000011